(57)【要約】      （修正有）【課題】湯水を良好に排水して汚れを防止することができる浴室用カウンターを提供する。【解決手段】浴室用カウンターは浴室の壁部Ｗ１に取り付ける。浴室用カウンターは、壁部Ｗ１に取り付けた際、壁部Ｗ１に当接した壁側端部６６の両端と、これら両端から手前側に延びた左右端部との間に形成された２つの角部の内、少なくとも一方の角部Ｃ１から広がっており、壁側端部６６からの下り傾斜と、左右端部６１からの下り傾斜とが重なり合って形成された傾斜面６７Ａを有した天板を備えている。【選択図】図２
2014133067.tif 000002
【特許請求の範囲】
【請求項１】
浴室の壁部に取り付ける浴室用カウンターであって、
前記壁部に取り付けた際、前記壁部に当接した壁側端部の両端と、これら両端から手前側に延びた左右端部との間に形成された２つの角部の内、少なくとも一方の前記角部から広がっており、前記壁側端部からの下り傾斜と、前記左右端部からの下り傾斜とが重なり合って形成された傾斜面を有した天板を備えていることを特徴とする浴室用カウンター。
【請求項２】
前記壁部に取付けた際、前記壁側端部の上端縁と少なくとも一方の前記左右端部の上端縁とが同じ高さで水平に延びていることを特徴とする請求項１記載の浴室用カウンター。
【請求項３】
前記壁部に取付けた際、前記傾斜面は湯水が特定箇所に向けて流下するように傾斜していることを特徴とする請求項１又は２記載の浴室用カウンター。
【請求項４】
前記天板は、前記傾斜面に隣接し、下方に凹設した凹部を有しており、前記特定箇所はこの凹部の縁部の上端縁に形成したことを特徴とする請求項３記載の浴室用カウンター。
【請求項５】
前記壁部に取付けた際、前記凹部は、前記壁部に沿った方向の両端部の少なくとも一方を形成し、前記壁側端部から手前側の一方向にのみ下り傾斜した端部傾斜面と、中央部を形成し、左右の一方向及び前記壁側端部から手前側に下り傾斜した中央傾斜面とを有していることを特徴とする請求項４記載の浴室用カウンター。
【発明の詳細な説明】
【技術分野】
【０００１】
本発明は浴室用カウンターに関する。
【背景技術】
【０００２】
特許文献１は従来の浴室用カウンターを開示している。この浴室用カウンターは浴室の壁部に取り付けられている。この浴室用カウンターは、壁部に取り付けた状態で、浴室の壁部に当接した背面部、背面部の上端縁から前方に延びた上面部、上面部の前端縁から垂下した前面部、背面部の下端縁から前方に延びた下面部、及び前面部の下端部と下面部の前端縁とを連結した傾斜面部から構成されている。上面部は、天板に相当し、背面部側から手前側への一方向にのみ下り傾斜している。これによって、この浴室用カウンターは天板上の湯水を手前側に排水することができる。
【先行技術文献】
【特許文献】
【０００３】
【特許文献１】特開２００９−１１９１３０号公報
【発明の概要】
【発明が解決しようとする課題】
【０００４】
しかし、特許文献１の浴室用カウンターは、上面部に水栓金具を取り付けたり、液体石鹸入りのボトル等を載置したりする際、水栓金具やボトル等が上面部に当接した部分の上側に位置する周縁部が下り傾斜に対して直角方向に延びていると、その周縁部に湯水が溜まり、汚れの原因になるおそれがある。
【０００５】
本発明は、上記従来の実情に鑑みてなされたものであって、湯水を良好に排水して汚れを防止することができる浴室用カウンターを提供することを解決すべき課題としている。
【課題を解決するための手段】
【０００６】
本発明の浴室用カウンターは、浴室の壁部に取り付ける浴室用カウンターであって、
前記壁部に取り付けた際、前記壁部に当接した壁側端部の両端と、これら両端から手前側に延びた左右端部との間に形成された２つの角部の内、少なくとも一方の前記角部から広がっており、前記壁側端部からの下り傾斜と、前記左右端部からの下り傾斜とが重なり合って形成された傾斜面を有した天板を備えていることを特徴とする。
【０００７】
この浴室用カウンターは、壁側端部からの下り傾斜と、左右端部からの下り傾斜とが重なり合って形成した傾斜面を天板が有している。つまり、この傾斜面は一方向のみに傾斜していない。このため、この傾斜面に水栓金具を取り付けたり、液体石鹸入りのボトル等を載置したりすると、水栓金具やボトル等の傾斜面の当接部の縁部は必ずどちらかに傾斜しており、この縁部に沿って湯水を良好に排水することができる。
【０００８】
したがって、本発明の浴室用カウンターは湯水を良好に排水して汚れを防止することができる。
【図面の簡単な説明】
【０００９】
【図１】実施例の浴室用カウンターを取り付けた浴室を示す斜視図である。
【図２】実施例の浴室用カウンターを示す斜視図である。
【図３】実施例の浴室用カウンターを示す平面図である。
【図４】図３の矢視Ｘ−Ｘ断面図である。
【図５】実施例の浴室用カウンターの凹部の第１端部傾斜面近傍を示す断面図である。
【図６】実施例の浴室用カウンターの凹部の第２端部傾斜面近傍を示す断面図である。
【発明を実施するための形態】
【００１０】
本発明における好ましい実施の形態を説明する。
【００１１】
本発明の浴室用カウンターを前記壁部に取付けた際、前記壁側端部の上端縁と少なくとも一方の前記左右端部の上端縁とが同じ高さで水平に延び得る。この場合、この浴室用カウンターは、左右端部の一方を浴槽の外側面に当接した状態で壁部に取り付けると、浴槽の外側面に当接した左右端部の上端縁と浴槽本体のフランジ部の上面とが水平同士で平行に位置するため、すっきりとして見栄えがよくなる。
【００１２】
本発明の浴室用カウンターを前記壁部に取付けた際、前記傾斜面は湯水が特定箇所に向けて流下するように傾斜し得る。この場合、この浴室用カウンターは、傾斜面上の湯水を特定箇所に集めることによって、湯水が流れ易くなり、湯水を良好に排水することができる。また、この浴室用カウンターは、湯水が流れる流路が特定されるため、水垢等によって汚れる箇所が絞られ、清掃を容易に行うことができる。
【００１３】
前記天板は、前記傾斜面に隣接し、下方に凹設した凹部を有しており、前記特定箇所はこの凹部の縁部の上端縁に形成し得る。この場合、この浴室用カウンターは傾斜面上の湯水を集めて凹部に流すことができる。このため、この浴室用カウンターの端辺部を浴槽の外側面に当接した状態で壁部に取り付けた際、傾斜面上の湯水が浴槽側に流れることを防止することができる。
【００１４】
本発明の浴室用カウンターを前記壁部に取付けた際、前記凹部は、前記壁部に沿った方向の両端部の少なくとも一方を形成し、前記壁側端部から手前側の一方向にのみ下り傾斜した端部傾斜面と、中央部を形成し、左右の一方向及び前記壁側端部から手前側に下り傾斜した中央傾斜面とを有し得る。この場合、この浴室用カウンターは、天板上の湯水を凹部の両端部又は一端部から排水することができる。このため、この浴室用カウンターは湯水を良好に排水することができる。また、この浴室用カウンターは、湯水が流れる流路が特定されるため、水垢等によって汚れる箇所が絞られ、清掃を容易に行うことができる。さらに、壁側端部から手前側の一方向にのみ下り傾斜した端部傾斜面を有する端部を浴室用カウンターのサイズ調整のために切断しても、壁部に対する切断部の高さが変わらない。このため、この浴室用カウンターは、長さ調整のために切断しても良好に壁部に取り付けることができる。
【００１５】
次に、本発明の浴室用カウンターを具体化した実施例について、図面を参照しつつ説明する。
【００１６】
＜実施例＞
実施例の浴室用カウンター５０は、図１及び図２に示すように、浴槽１０に連続した状態で浴室の壁部（以下、取付壁部Ｗ１という。）に取り付けられている。浴槽１０は、浴槽本体２０と、着脱自在な浴槽エプロン３０とを備えている。浴槽本体２０は、上端周縁に広がるフランジ部２１、及びフランジ部２１の洗い場側の外縁から垂下する垂下片部２２を有している。浴槽エプロン３０は、一枚の横長矩形状であり、浴槽本体２０の洗い場に面した側面部を覆うように、垂下片部２２の下端縁に連続して垂下している。この浴槽エプロン３０は着脱自在に取り付けられている。
【００１７】
浴室用カウンター５０は、天板６０と、天板６０を支持するブラケット７０と、天板６０の下方に取り付けられたカバー部材８０とを有している。また、浴室用カウンター５０は天板６０の上面に水栓金具９０が取り付けられている。天板６０は、平面視で、浴槽１０の外側面から浴槽１０の外側面に対向する洗い場の壁部（以下、洗い場壁部Ｗ２という。）近傍まで延びた矩形状である。
【００１８】
天板６０は、図１〜図３に示すように、取付壁部Ｗ１に当接した壁側端部（以下、第１壁側端部６６という。）と、この第１壁側端部６６の両端から手前側に延びた左右端部との間に形成された２つの角部の内、浴槽１０側の角部Ｃ１から広がった第１傾斜面６７Ａを有している。この第１傾斜面６７Ａは、第１壁側端部６６からの下り傾斜と、浴槽１０側の左右端部（以下、浴槽側端部６１という。）からの下り傾斜とが重なり合って形成されている。第１傾斜面６７Ａは、後述する凹部６２の縁部６２Ａの上端縁に形成した特定の一箇所である特定箇所Ｓに向けて湯水が流下するように傾斜している（図３参照）。
【００１９】
天板６０は、第１傾斜面６７Ａに連続して、第１傾斜面６７Ａの手前側に広がった第２傾斜面６７Ｂを有している。第２傾斜面６７Ｂも特定箇所Ｓに向けて湯水が流下するように傾斜している。天板６０は、第１傾斜面６７Ａに連続して、第１傾斜面６７Ａの浴槽１０の反対側に広がった第３傾斜面６７Ｃを有している。第３傾斜面６７Ｃも特定箇所Ｓに向けて湯水が流下するように傾斜している（図３参照）。
【００２０】
天板６０は、第３傾斜面６７Ｃに連続して洗い場壁部Ｗ２側の左右端部（以下、第２壁側端部６４という。）まで延びた水平面６７Ｄを有している。水平面６７Ｄは、平面視において、第３傾斜面６７Ｃから徐々に前後方向の幅を狭め、中間部から第２壁側端部６４までを一定の前後幅で形成されている。第１傾斜面６７Ａ、第２傾斜面６７Ｂ、第３傾斜面６７Ｃ、及び水平面６７Ｄが後述する凹部６２よりも高い面に位置する第１面６７を構成している。
【００２１】
第１傾斜面６７Ａに水栓金具９０が取り付けられている。水栓金具９０は第１傾斜面６７Ａに当接する底面の形状が矩形状である。水栓金具９０は底面の長辺部が天板６０の第１壁側端部６６と平行になるように第１傾斜面６７Ａに取り付けられている。第１傾斜面６７Ａは、第１壁側端部６６からの下り傾斜と、浴槽側端部６１からの下り傾斜とが重なり合って形成されているため、一方向のみに傾斜していない。このため、水栓金具９０の第１傾斜面６７Ａの当接部９１の縁部の内、水栓金具９０の底面の長辺部に沿った縁部９１Ａは天板６０の浴槽側端部６１側から下り傾斜しており、水栓金具９０の底面の短辺部に沿った縁部９１Ｂは天板６０の第１壁側端部６６側から下り傾斜している。
【００２２】
天板６０は、第１壁側端部６６の上端縁と、浴槽側端部６１の上端縁とが同じ高さで水平に伸びている。このため、浴室用カウンター５０は、天板６０の浴槽側端部６１の上端縁と浴槽本体２０のフランジ部２１の上面とが水平同士で平行に位置しているため、すっきりとして見栄えが良くなっている。
【００２３】
天板６０は浴槽側端部６１から離れた位置に下方に凹設した凹部６２を有している。凹部６２は第１面６７よりも低い第２面を形成している。凹部６２の縁部６２Ａは、天板６０の手前側の端部（以下、手前側端部６３という。）から第１壁側端部６６に向けて延びている。この縁部６２Ａは、円弧状に湾曲しながら天板６０の第１壁側端部６６に近づき、さらに天板６０の第１壁側端部６６に平行に延びて、天板６０の第２壁側端部６４に至っている。凹部６２は、平面視で、天板６０の第１壁側端部６６に沿った方向に延びた横長形状である。
【００２４】
凹部６２は天板６０の手前側端部６３で開いている。凹部６２は天板６０の手前側端部６３に沿って土手部６３Ａが形成されている。土手部６３Ａは凹部６２の後述する中央傾斜面６２Ｍの前端縁に形成されている。土手部６３Ａは上端面が第１面６７よりも低い高さである。凹部６２の中央傾斜面６２Ｍは後述するように天板６０の第２壁側端部６４側から浴槽側端部６１方向に下り傾斜している。このため、土手部６３Ａは、凹部６２の中央傾斜面６２Ｍに対して浴槽側端部６１側から第２壁側端部６４方向に高さが徐々に減少し、後述する第２端部傾斜面６２Ｒでは形成されていない。凹部６２は洗面器置きとして利用することができる。
【００２５】
凹部６２は、図３〜図６に示すように、取付壁部Ｗ１に沿った方向（天板６０の第１壁側端部６６に沿った方向）の浴槽側端部６１側を形成した第１端部傾斜面６２Ｌと、第２壁側端部６４側を形成した第２端部傾斜面６２Ｒとを有している。また、凹部６２は中央部を形成した中央傾斜面６２Ｍを有している。
【００２６】
第１端部傾斜面６２Ｌは、図５に示すように、天板６０の第２壁側端部６４側から浴槽側端部６１方向に下り傾斜し、かつ天板６０の第１壁側端部６６側から手前側端部６３方向に下り傾斜している。第１端部傾斜面６２Ｌは中央傾斜面６２Ｍに連続している。
【００２７】
第２端部傾斜面６２Ｒは、図６に示すように、天板６０の第１壁側端部６６側から手前側端部６３方向にのみ下り傾斜している。このため、この天板６０は第２端部傾斜面６２Ｒ側の端部を浴室用カウンター５０のサイズ調整のために切断しても、取付壁部Ｗ１及び洗い場壁部Ｗ２に対する切断部の高さが変わらない。このため、この浴室用カウンター５０は、長さ調整しても良好に壁部に取り付けることができる。第２端部傾斜面６２Ｒは中央傾斜面６２Ｍに連続している。
【００２８】
中央傾斜面６２Ｍは、図４〜図６に示すように、天板６０の第２壁側端部６４側から浴槽側端部６１方向に下り傾斜し、かつ天板６０の第１壁側端部６６側から手前側端部６３方向に下り傾斜している。
【００２９】
ブラケット７０は、天板６０の浴槽１０側及び中間部の２か所を支持する図示しない３個のブラケットと、図１、図２、図４及び図６に示すように、第２壁側端部６４を支持し、かつ第２壁側端部６４と洗い場壁部Ｗ２との隙間を埋めるスペーサーとしての機能を有する１個のブラケット７３である。各ブラケット７０は取付壁部Ｗ１に取り付けられている。天板６０は各ブラケット７０に支持され、取り付けられている。
【００３０】
カバー部材８０は、図４に示すように、天板６０の下方に取り付けられ、天板６０の浴槽側端部６１から第２壁側端部６４まで延びている。カバー部材８０は、各ブラケット及び図示しない配管を隠蔽している。
【００３１】
このような構成を有する浴室用カウンター５０は、図３に示すように、天板６０上の湯水を排水することができる（破線矢印で湯水が流れる方向を示す。）。第１傾斜面６７Ａにおいて、水栓金具９０の底面の長辺部に沿った縁部の内、上側に位置する縁部９１Ａに沿って湯水は天板６０の浴槽側端部６１側から第２壁側端部６４方向に流れる。また、第１傾斜面６７Ａにおいて、水栓金具９０の底面の短辺部に沿った縁部の内、上側に位置する縁部９１Ｂに沿って湯水は天板６０の第１壁側端部６６側から手前側端部６３方向に流れる。このように、第１傾斜面６７Ａに水栓金具９０を取り付けても、水栓金具９０の第１傾斜面６７Ａの当接部９１の縁部が傾斜しているため、この縁部９１Ａ、９１Ｂに沿って湯水を良好に排水することができる。
【００３２】
さらに、第１傾斜面６７Ａの他の部分において、湯水は特定箇所Ｓに向けて流れる。また、第２傾斜面６７Ｂ及び第３傾斜面６７Ｃにおいても、湯水は特定箇所Ｓに向けて流れる。第１傾斜面６７Ａ〜第３傾斜面６７Ｃから特定箇所Ｓに流れた湯水は凹部６２の縁部６２Ａから第１端部傾斜面６２Ｌに流れ落ちる。このように、第１傾斜面６７Ａ〜第３傾斜面６７Ｃ上の湯水を特定箇所Ｓに集めることによって、湯水が流れ易くなり、湯水を良好に排水することができる。また、この浴室用カウンター５０は、湯水が流れる流路が特定されるため、水垢等によって汚れる箇所が絞られ、清掃を容易に行うことができる。さらに、第１傾斜面６７Ａ〜第３傾斜面６７Ｃ上の湯水を集めて凹部６２に流すため、第１傾斜面６７Ａ〜第３傾斜面６７Ｃ上の湯水が浴槽１０側に流れることを防止することができる。
【００３３】
そして、特定箇所Ｓから第１端部傾斜面６２Ｌに流れ落ちた湯水、及び凹部６２の中央傾斜面６２Ｍから第１端部傾斜面６２Ｌに流れ落ちた湯水は、凹部６２の第１端部傾斜面６２Ｌの手前側端部６３から洗い場に向けて排水される。また、第２端部傾斜面６２Ｒ上の湯水は、一部が中央傾斜面６２Ｍ側に流れつつ、手前側端部６３から洗い場に向けて排水される。
【００３４】
以上説明したように、この浴室用カウンター５０は、天板６０上の湯水を凹部６２の両端部から排水することができる。このため、この浴室用カウンター５０は湯水を良好に排水することができる。また、この浴室用カウンター５０は、湯水が流れる流路が特定されるため、水垢等によって汚れる箇所が絞られ、清掃を容易に行うことができる。
【００３５】
したがって、実施例の浴室用カウンター５０は湯水を良好に排水して汚れを防止することができる。
【００３６】
本発明は上記記述及び図面によって説明した実施例に限定されるものではなく、例えば次のような実施例も本発明の技術的範囲に含まれる。
（１）実施例では、浴室用カウンターを浴槽に連続して壁部に取付けたが、浴槽から離して壁部に取付けてもよい。また、浴室用カウンターが洗い場壁部まで延びているが、洗い場壁部から離してもよい。
（２）実施例では、第１傾斜面に水栓金具を取り付けたが、第１傾斜面に水栓金具を取り付けなくてもよい。この場合、第１傾斜面に液体石鹸入りのボトル等を載置しても、ボトル等が傾斜面に当接する当接部の縁部は必ずどちらかに傾斜しており、縁部に沿って湯水を良好に排水することができる。
（３）実施例では、第１壁側端部の上端縁と浴槽側端部の上端縁とが同じ高さで水平に延びていたが、これら上端縁を同じ高さで水平に延びていなくてもよい。
（４）実施例では、第１傾斜面〜第３傾斜面が一つの特定箇所に向けて湯水が流下するように傾斜していたが、複数の箇所に向けて湯水が流下するようにしてもよい。
（５）実施例では、天板に凹部を設けたが、天板に凹部を設けなくてもよい。
（６）実施例では、第１端部傾斜面が天板の第２壁側端部側から浴槽側端部方向に下り傾斜し、かつ天板の第１壁側端部側から手前側端部方向に下り傾斜していたが、第１端部傾斜面は天板の第１壁側端部側から手前側端部方向の一方向のみに下り傾斜していてもよい。
【符号の説明】
【００３７】
５０…浴室用カウンター
６０…天板
６１…浴槽側端部（左右端部）
６２…凹部
６２Ａ…（凹部の）縁部
６２Ｍ…中央傾斜面
６２Ｒ…第２端部傾斜面（端部傾斜面）
６６…第１壁側端部（壁側端部）
６７Ａ…第１傾斜面（傾斜面）
Ｃ１…一方の角部
Ｓ…特定箇所
Ｗ１…取付壁部（壁部）
【図１】
2014133067.tif 000003
【図２】
2014133067.tif 000004
【図３】
2014133067.tif 000005
【図４】
2014133067.tif 000006
【図５】
2014133067.tif 000007
【図６】
2014133067.tif 000008